(57)【要約】  台所用流体投与装置は、流体貯溜部および取っ手を含む本体を有し、流体貯溜部は端板によって閉鎖され、これは本体に溶接され、洗浄媒体ブロックに引っ掛けられる。或る例は、ブロック上にハウジング板の縁部と係合する弾発性タブを有する。板およびブロックを通り、流体貯溜部と板の間の連通を行う整列した穴は、弾発性ボタンを押し込むことによって提供される圧力の増加によって作動する弁で開閉可能である。或る例では、弾発性ボタンは、ボタンを休止位置へと戻す付勢部材を含む。
2007506502.tif 000002
【特許請求の範囲】
【請求項１】
流体投与装置において、
該流体投与装置の流体貯溜部を画成する本体と、
該本体に担持された取っ手と、
前記本体に担持された作業実行媒体と、
前記流体貯溜部と前記作業実行媒体との間に連通を行うために、前記本体に担持された弁組立体と、
休止位置と押し込み位置との間で動かすために前記本体に装着された可撓性で弾発性のボタンとを含み、該ボタンは、前記押し込み位置に手動で偏向可能であり、さらに、
前記休止位置への前記ボタンの戻りを補助するために、前記ボタン内に配設された付勢部材を含む流体投与装置。
【請求項２】
前記付勢部材が、前記ボタンの内部に沿って配設された１対のリブを含む請求項１に記載された流体投与装置。
【請求項３】
押し込み位置に動かすために使用者の親指または別の指で押し込み可能な可撓性で弾発性のドーム部分と、
それぞれが概ね三角形を有し、前記ドーム部分を付勢して、前記ドーム部分を休止位置に戻すために前記内部に付されたリブとを、前記ボタンが含む請求項２に記載された流体投与装置。
【請求項４】
前記ドーム部分が、前記内部へ突出するニップルと、該ニップルに付されたリブを含む請求項２に記載された流体投与装置。
【請求項５】
前記付勢部材が、前記ボタンの内部で横方向に延在する弾発性アームを含む請求項１に記載された流体投与装置。
【請求項６】
流体投与装置において、
該流体投与装置内に流体貯溜部を画成するハウジングと、
該ハウジング上の第１結合構造と、
第２結合構造、および、該第２結合構造に隣接して配設された引っ掛けレバーを有するホルダとを含み、
前記引っ掛けレバーが前記ホルダの底面に沿って延在し、前記引っ掛けレバーは、前記第１結合構造が前記第２結合構造に結合されると、前記ホルダを前記ハウジングにしっかり装着するために、前記ハウジングと引っ掛け係合し、さらに、
前記ホルダに担持された作業実行媒体と、
前記ハウジングに担持され、前記ホルダと協働して、前記流体貯溜部と前記作業実行媒体との間の連通を行う弁とを含む流体投与装置。
【請求項７】
前記第１結合構造に取り付けられた前記ハウジングの端壁を更に含み、
前記引っ掛けレバーが、前記端壁と係合する指状部材を含み、
前記第１結合構造が楔形突出部を含む請求項６に記載された流体投与装置。
【請求項８】
前記引っ掛けレバーが、前記ハウジングとの係合から前記引っ掛けレバーを解放するために使用者の親指または別の指によって押し込み可能であるタブを含む請求項６に記載された流体投与装置。
【請求項９】
前記引っ掛けレバーが、前記ホルダの凹所の底部分に付された基端部を含む請求項８に記載された流体投与装置。
【請求項１０】
前記第２結合構造が楔形凹所を含み、前記突出部および前記凹所が、それぞれ、横断面における組合わせ蟻継ぎ形状を有する請求項７に記載された流体投与装置。
【請求項１１】
前記ハウジングが、付勢部材を有する弾発性ボタンを含む請求項６に記載された流体投与装置。
【請求項１２】
前記付勢部材が、前記ドーム形ボタンの内部に沿って存在するリブである請求項１１に記載された流体投与装置。
【請求項１３】
前記流体投与装置が台所用ブラシであり、前記作業実行媒体が複数のブラシ毛である請求項６に記載された流体投与装置。
【請求項１４】
前記ホルダが、前記ハウジングの前記楔形突出部に対して付勢するための指状弾発性ばね部材を含む請求項６に記載された流体投与装置。
【請求項１５】
前記楔形突出部が、前記ハウジングによって担持された板に形成されている請求項６に記載された流体投与装置。
【請求項１６】
前記板が前記ハウジングの端部に溶接されている請求項１５に記載された流体投与装置。
【請求項１７】
流体投与装置において、
流体を受ける貯溜部を有する取っ手と、
前記取っ手に装着されたボタンと、
前記ボタンによって担持され、前記ボタンが押し込まれた時に前記貯溜部内の圧力を増大させる弾発性部材と、
前記ボタン内に配設され、押し込まれた後に前記弾発性部材を休止位置に戻すために前記弾発性部材に接するリブと、
前記取っ手に取り付けられ、洗浄媒体を有するブロックと、
前記ボタンが押し込まれた時に、流体を通過させて投与するために前記取っ手に配設された弁とを有する装置。
【請求項１８】
前記ボタンが内部を含み、前記リブが前記内部の壁に取り付けられている請求項１７に記載された流体投与装置。
【請求項１９】
前記弾発性部材の前記内部が、自身から延在する１対のリブを有する中央ニップルを含む請求項１８に記載された流体投与装置。
【請求項２０】
前記ボタンが、前記取っ手に形成された開口に着脱可能に装着されている請求項１７に記載された流体投与装置。
【請求項２１】
装置が、所定量の流体を装置から配量させるために、流体配量構成要素の様々な容積方向を提供する請求項１７に記載された流体投与装置。
【請求項２２】
前記弁が装着される保持リングを有する板を、前記取っ手が含む請求項１７に記載された流体投与装置。
【請求項２３】
流体投与装置と協働するホルダにおいて、
楔形凹所、および、該凹所に隣接して配置された引っ掛けレバーを有するブロックを含み、
前記引っ掛けレバーが、前記凹所の底部に沿って延在し、
前記引っ掛けレバーは、前記凹所内に組合い状態で結合構造を受けた時に、前記ブロックを前記流体投与装置にしっかり装着させるために、前記流体投与装置の前記結合構造と引っ掛け係合するようになっているホルダ。
【請求項２４】
前記楔形凹所が、前記流体投与装置の対応する楔形突起を受けるように構成されている請求項２１に記載されたホルダ。
【請求項２５】
前記引っ掛けレバーに取り付けられた引っ掛けアームを更に含む請求項２１に記載されたホルダ。
【請求項２６】
前記引っ掛けレバーから延在する引っ掛けタブを更に含み、前記引っ掛けタブが使用者の親指または別の指で押し込み可能である請求項２１に記載されたホルダ。
【請求項２７】
前記ブロック内に形成された開口と、該開口によって担持された弁とを更に含み、もって、前記ホルダを前記開口に結合すると、前記開口が装置の開口と整列し、前記開口および前記弁を通して前記流体投与装置に含まれる流体が投与される請求項２１に記載されたホルダ。
【請求項２８】
作業実行媒体として働くために前記ブロックに担持されたブラシ毛を更に含む請求項２１に記載されたホルダ。
【請求項２９】
作業実行媒体として働くために前記ブロックによって担持されたスポンジを更に含む請求項２１に記載されたホルダ。
【請求項３０】
作業実行媒体として働くために前記ブロックによって担持されたパッドを更に含む請求項２１に記載されたホルダ。
【発明の詳細な説明】
【技術分野】
【０００１】
本発明は、流体投与器具に係わり、特にブラシまたはスポンジ等の家庭用洗浄用具に関するものである。本発明は、液体石鹸または洗剤を投与できる台所装置に特別な用途を有する。
【背景技術】
【０００２】
従来より、多くの流体投与装置が提供されている。このような装置は、通常、流体貯溜部、該貯溜部を充填する閉鎖可能な開口、および、流体を貯溜部から流体投与装置のブラシ毛またはスポンジ領域に供給するための手動式弁機構を含む。しかしながら、このような先行技術装置は、通常、比較的複雑であるか、または、製造費の高い構造を有するか、または、非効率的な弁作動機構を有する。
【発明の開示】
【発明が解決しようとする課題】
【０００３】
先行技術のこのような器具の欠点を回避しながら、追加の構造および操作上の利点を提供する改良型の流体投与具を提供することが、本発明の広い目的である。
【０００４】
本発明の重要な特徴は、弁を作動する機能と、ボタンを休止位置に復帰させるボタン持ち上げ機能を組み合わせる前記種類の器具を提供することである。
【０００５】
本発明の別の特徴は、作業実行媒体ホルダと器具ハウジングの間にユニークな引っ掛け手段を提供する前記種類の器具を提供することである。
【０００６】
本発明の別の特徴は、ユニークな付勢機構を有する弾発性ボタンを提供する前記種類の器具を提供することである。
【０００７】
本発明のさらに別の特徴は、比較的単純で経済的な構造である前記種類の器具を提供することである。
【課題を解決するための手段】
【０００８】
本発明の前記特徴およびその他の特徴のうちの或るものは、以下の流体投与器具を提供することによって得ることができる。
流体投与器具内の流体貯溜部を画成する本体と、本体によって担持された取っ手と、本体によって担持された作業実行媒体と、流体貯溜部と作業実行媒体との間の連通を行なうために本体によって担持された弁組立体とを含む流体投与器具であり、前記本体が、該本体によって担持されるとともに休止位置と押し込み位置との間で動作するために可撓性かつ弾発性の中空ボタンを有し、該ボタンは、流体貯溜部内の圧力を増加させ、弁を作動させるために手動で偏向可能である。
【０００９】
本発明の前記特徴およびその他の特徴のうちの或るものは、以下の流体投与器具を提供することによって得ることができる。
流体投与器具内の流体貯溜部を画成するハウジングと、ハウジング上の楔形突起と、楔形の凹所を有するホルダと、凹所に隣接して配置された引っ掛けレバーとを有し、引っ掛けレバーは凹所の底部に沿って延在し、引っ掛けレバーは、凹所内に組合せ可能に突起を受け入れた時に、ホルダをハウジングにしっかり装着するために突起と引っ掛け係合し、さらにホルダによって担持された作業実行媒体と、ハウジングによって担持され、ホルダと協働して流体貯溜部と作業実行媒体との間の連通を行なう弁とを有する流体投与器具。
【００１０】
本発明のその他の特徴は、器具ハウジングに引っ掛け可能なホルダ上に作業実行媒体を設けることによって得られる。
【００１１】
本発明の別の特徴は、弁組立体が付勢部材を有するボタンを含む前記種類の流体投与器具を提供することによって得られる。
【００１２】
本発明は、以下で詳細に説明して、添付図面に示し、特に特許請求の範囲で指摘する特定の新規の特徴および部品の組合せで構成され、本発明の精神から逸脱したり、その利点のいずれも犠牲にしたりすることなく、細部に様々な変更ができることが理解される。
【００１３】
本発明の理解を容易にするために、その好ましい例が添付図面で図示され、それを調べ、以下の説明と関連して考察すると、本発明、その構造および動作、およびその利点の多くが容易に理解され、評価されるはずである。
【実施例】
【００１４】
図１、図２を見ると、本発明により構成され、その特徴を具現化する台所用装置２０の性質の流体投与器具が示されている。装置２０は取っ手またはハウジング２１を有し、これは端板４０によって閉成され、それと協働して流体貯溜部１０を画成する中空の管状前部２３がある本体２２を含む。中空の管状前部２３は外側へとフレア状になり、前方は前端２４で終了する。或る例では、スクレーパなどとして使用可能なフランジ２５を提供することができる（図４、図５参照）。管状前部２３の反対側には、端壁２６があり、その上側には、ボタン９０を受けるために端壁２６に隣接して楕円形の開口２７が設けられる（以下で詳細に説明）。楕円形の開口２７および本体２２は、米国特許第６２５０８３３号の開示（引用によって本明細書の記載として援用する）に従って構成される。
【００１５】
端壁２６と一体で、そこから後方に突出するのは細長い取っ手３０であり、これは横断面が概ね楕円形で、その上側および下側に沿って長手方向のスロット３１の対が設けられる。取っ手３０の上側には、端壁２６に隣接して長方形の凹所３２も形成される。取っ手３０は、サントプレーンなどの適切な摩擦および緩衝材料で形成した把持スリーブ３５によって覆われる。スリーブ３５は閉鎖端を有し、これは取っ手２０の遠位端を越えて延在し、自身内に貫通穴３６を有して、装置２０の吊り下げを容易にする。取っ手３０のスロット３１は、その表面積を減少させて、通って３０上のスリーブ３５の滑動を容易にし、スリーブ３５は任意の適切な手段によって所定の位置に固定される。スリーブ３５の反対側には、概ね鞍形の凹所３７によって画定された把持部位が形成され、各凹所３７には、使用者の親指と人差し指での把持を容易にするために、横方向外側に突出する複数の可撓性および弾発性リブ３８が設けられる。把持スリーブ３５は概ね、米国特許第Ｒｅ．３４１９４号で開示（引用によって本明細書の記載として援用する）された種類でよい。
【００１６】
端板４０は、単一の一体構造であることが好ましく、本体２２の広い端部２４とほぼ同じサイズおよび形状の隆起した周縁４２を有する楕円形の基底壁４１を含む。基底壁４１は、その一方端に概ね楔形の大きい突起を有し、これは結合構造４３を提供する。結合構造４３は、基底壁４１と平行で、１対の収束側壁４５ａ、４５ｂによってそれに接合する平坦な底壁４４、狭い端壁４６、および弓形の形状で、概ね基底壁の楕円形縁部４２の輪郭を辿る広い端壁４７を有する。底壁４４を通って概ね中心に開口４８が形成され、底壁４４の上面に配置された端部を有する。側壁および端壁４５〜４７はそれぞれ、底壁４４にほぼ直角である内面を有する。しかし、収束側壁４５は下方向および横方向外側に傾斜する外面４９を有する。したがって、狭い端壁４６の外面は、ほぼ台形の形状であることが理解される。代替例では、結合構造をハウジング上に直接形成することができる。
【００１７】
或る例では、装置２０は複数のブラシ毛５９（図２）を有し、それぞれ群状に配置され、これは全て周知の方法でホルダまたはブラシ毛ブロック６０の受け口にそれぞれ装着されることが好ましい。ブラシ毛ブロック６０は、端板４０と対合するようなサイズの楕円形を有する。ブラシ毛ブロック６０は結合構造を有し、これはその上面に形成され、端板４０の結合構造４３と対合するようなサイズで、ブラシ毛ブロック６０の後端からブラシ毛ブロック６０の前端に隣接する狭い端部にへと長手方向前方へと延在する概ね楔形の凹所６１を含む。凹所６１は平坦な底面６２を有し、これにはブラシ毛ブロック６０の底部へと延在する開口６３が形成される。
【００１８】
代替例では、パッドまたはスポンジのような他の洗浄媒体を装着するために、ブラシ毛ブロック６０を設けることができる。例えば、スポンジ・ブロックが図５に図示されている。ブロックはブラシ毛ブロック６０と同様の構造を有してよい。或る例では、（図５で示すような）ブロック６０ａは凹所６１を含み、これは下方向および横方向外側へと傾斜し、くり抜いた収束側面６４ａ、６４ｂを有する。側面６４ａ、６４ｂの開口６３の後方には、概ねＬ字形の切り欠き６５が形成され、これは凹所６１と連絡する比較的短い脚部６６、およびその間に指状部材６８を画定する長い脚部６７を有する。指状部材６８は、薄い可撓性かつ弾発性の部材を画定するように、底面６２から上方向にわずかな距離だけ隔置され、前記可撓性かつ弾発性部材は横方向に動いて、隣接する切り欠き６５の長い脚部６７に入ることができる。
【００１９】
或る例では、ブロック６０の結合構造はさらに、底面６２と平行に形成された引っ掛けアーム５１を有する凹所６１を含む。引っ掛けアーム５１は引っ掛けレバー５２を含み、これは引っ掛けレバー５２から概ね直角に延在する引っ掛け表面５４を有するタブ５３を有する。或る例では、タブ５３は、レバー５２を作動させるために使用者の指または親指を快適に置くことができるようにするために湾曲した表面を有する。代替例では、ブロックの結合構造は突起を含み、端板の結合構造は凹所でよい。さらなる代替例では、第１および第２結合構造は、相互に組合せ可能な種々の形状を有してよい。
【００２０】
組立時に、端板４０の楔形結合構造４３は長手方向に滑動してブラシ毛ブロック６０ａの楔形凹所６１に入り、したがって端板４０の傾斜する側壁が、ブロック６０、６１ａのくり抜いた側面６４との蟻継ぎ嵌合を提供する。端板４０が凹所６１に十分に挿入された位置に近づくにつれ、端壁４６が指状部材６８と係合し、これは活発なばねとして作用する。指状部材６８が横方向内側に偏向し、端板４０の結合構造４３が凹所６１にぴったり組合って、図５で示した引っ掛け構造で示すように端壁４７に対する引っ掛けタブのラッチ係合を介して、端板４０をブラシ毛ブロック６０にしっかり引っ掛け止めできるようにする。指状ばね部材５８は、引っ掛けレバー５２を押下した場合に突起４３の凹所６１からの排出を補助するために、突出した結合構造４３に抗して付勢する。図５で最もよく見られるように、対合した構成で、口４８、６３は相互に軸方向に整列し、端板４０およびブラシ毛ブロック６０の外周面が相互にほぼ連続する。図４、図５で示した引っ掛けレバー５２は、図１、図２のブラシ毛ブロックに設けてもよいことが明白である。
【００２１】
次に特に図２、図４を見ると、装置２０は、全体を数字７０で示され、端板４０に装着された弁組立体を含む。弁組立体７０は、環状フランジ７２およびボア７３を有する円筒形の保持リング７１を含む。ボア７３は、自身内に弁７５を受ける。例えば、米国特許第５４３９１４３号、第５４０９１４４号、第５３７７８７７号、第５３３９９９５号、第５２１３２３６号、第５０３３６５５号、第４９９１７４５号で開示（その内容を引用によって本明細書の記載として援用する）されたような弁７５を、本発明に使用することができる。端板４０には、知られている他の弁組立体も装着してよい。
【００２２】
図１〜図４を見ると、装置２０はボタン９０も含み、これはその周縁に沿ってほぼ円筒形の側壁９２と一体である可撓性かつ弾発性の部材またはドーム９１を有し、側壁は、ドーム９１に隣接して側壁９２の上端から横方向外側に突出する環状縁部９３が外面に形成される。ある実施形態では、ボタン９０は、スカート部分９１ａからドーム９１を分割する環状溝９４を含む。溝９４は、手動の力を加えた場合にボタン９０の偏向を最大にするために、使用者がボタン９０の中心に自分の指または親指を配置するのを補助するために、視覚的および感触的な表示を提供する。或る例では、ドーム９１とスカート９１ａは、ボタン９０全体を偏向できるように、弾発性であって可撓性の材料で一体に形成される。代替例では、スカート部分９１ａは、ドーム９１より硬度が高く、弾発性が低く、可撓性が低い材料で形成することができ、したがって押し込みの第１段階では、可撓性ドーム９１が偏向し、スカート部分９１ａは休止位置のままである。押し込みの第２段階（使用者の指または親指で追加の力を加える）は、スカート９１ａを偏向させ、押し込み位置にスナップ留めし、流体貯溜部１０を通して高速の圧力波を分散させる。
【００２３】
或る例では、ドーム９１は後端が可撓性および弾発性蝶番９５またはつなぎ綱と一体である。蝶番９５は、後方に延在し、取っ手３０の凹所３２で受ける脚部９６を有する。把持スリーブ３５を取っ手３０上の所定の位置に取り付けると、これは蝶番の脚部９６を覆い、蝶番９５を取っ手３０にしっかり取り付けるために蝶番９５と突き当たることが理解される。
【００２４】
ボタン９０は、ドーム９１を形成する内面９７を含む。内面９７の中心点からニップル９８が突出する。付勢部材１００がボタン９０内に配置される。或る例では、付勢部材１００は、アームまたはリブ１０１、１０２を含んでよく、これはニップル９８の側部から両側に延在し、内部９７を区分する。リブ１０１、１０２は内面９７を横断し、押し込まれた後、ボタン９０のドーム９１を付勢して、（図２Ａで示すような）休止位置に戻すように働く。或る例では、リブ１０１、１０２は概ね三角形の形状であり、自由縁１０３ａ、１０３ｂ、基底１０４ａ、１０４ｂ、およびドーム縁部１０５ａ、１０５ｂを含み、概ね二等辺三角形を形成する辺を有する。自由縁１０３ａ、１０３ｂは、長さがドーム縁部１０５ａ、１０５ｂとほぼ等しい。或る例では、頂点１０６ａ、１０６ｂが概ね３０°未満である。このような鋭い頂点および（基底１０４ａ、１０４ｂとの比較で）比較的長い脚部１０３ａ、１０３ｂ、１０５ａ、１０５ｂを有するリブ１０１、１０２を形成することにより、付勢部材１００は内側に偏向可能であり、ドーム９１をその休止位置に戻すことができる。付勢部材１００の幾何学的形状は、ニップル９８の高さおよび幅、およびリブの幅（自由縁１０３ａ、１０３ｂによって画定される）に対しても重要である。或る例では、ニップル９８は約８．７ｍｍの高さおよび約５．０ｍｍの幅を有する。或る例では、リブ１０１、１０２は約１．５ｍｍの幅を有する。或る例では、付勢部材１００は、Ｔｒｅｓｆｉｎのようなポリマからボタン９０の残りの部分と一体形成される。他の例では、ゴム材料のような代替材料を使用することができる。
【００２５】
他の幾何学的形状を有し、他の材料で形成した付勢部材１００を提供してよいことを理解されたい。例えば、金属またはポリマのコイルばねを、ボタン９０の内部に配置することができる。渦巻き線、蛇腹、Ｌ字形またはＵ字形部材のような他の付勢部材を提供してもよい。さらに、例えば渦巻き形状、リング形状または他の形状を有するような突起または凹所が内壁に形成されるようにボタン９０を成形することにより、ボタンに付勢形体を設ける。また、図３は中心ニップル１２５から延在する４本のアーム１２１、１２２、１２３、１２４を有する付勢部材１２０の代替例を示す。或る例のニップル１２５およびアーム１２１、１２２、１２３、１２４は、ボタン１３０のドーム１２７の内面１２６に一体成形される。
【００２６】
代替例では、アーム１２１、１２２、１２３、１２４は、ニップル１２５に隣接して内面に取り付けられ、隔置され、各終端で自由であってよい。アーム１２１、１２２、１２３、１２４は偏向可能であり、ドームを押し込み可能にするが、ドームを休止位置に戻すために付勢する（図３に図示）。ボタン１３０は、楕円形の開口２７に挿入可能でよい（図１、図４）。代替例では、ボタン１３０は、ボタン１３０を装置２０のハウジング２１に装着するために、上述したように一方端に環状縁および蝶番９５、他方端にタブ９４を有してよい。同様に、図１から図２Ａのボタン９０は、代替例では蝶番９５またはタブ９４なしで提供してよい。
【００２７】
使用時には、図１〜図２Ａで示すボタン９０は、蝶番９５の周囲で、流体貯溜部１０を充填できるように開口２７を開放する直立位置と、開口２７を閉鎖するための図１で示す閉鎖位置との間で旋回自在に動作可能である。閉鎖位置へと動作する際に、円筒形の側壁９２の下端は開口２７の縁部を越えてスナップ留めされ、その縁部が溝９３に入り、周囲フランジが開口２７内に配置される。縁部９３の前端は、ボタン９０の解放位置への持ち上げを容易にするタブ９４を提供する。代替例では、開口２７は、自身に装着された剛性リングを有してよく、リングは、ボタン９０をリングへとスナップ留めできるように形成される。或る例では、ボタン９０は、リングと係合する剛性の外径部分を含む。
【００２８】
動作時には、弁組立体７０を開放したい場合は、取っ手の把持スリーブ３５に巻き付けた使用者の手の親指で、ボタン９０の可撓性および弾発性ドーム９１を押し込む。部品は、ボタン９０が完全に偏向する毎に、ボタン９０のサイズ、弁７０からの距離、流体貯溜部１０の容量、および弁自体の構造が、弁を通して配量される流体の所定の量を提供するような寸法および方向にする。ボタン９０が偏向すると、流体貯溜部１０内の圧力が増加し、流体が弁９０に押しつけられ、弁が押し開かれる。弁が開くと、流体貯溜部１０内に保存された流体が、開口４８、６３によって規定された通路を通過し、ブラシ毛５９へと至ることができる。
【００２９】
或る例では、これらの構成要素の方向は、液体石鹸の塊のような流体の正確な量を配量させることができる。このような構成要素の方向を変化させることにより、装置２０は、特定の量の流体を拝領する必要がある特定の用途または洗浄作業に合わせて改造するように構築することができる。例えば、平鍋表面に焼き付いた破片を有する平鍋をこすり洗いするために使用されるブラシ毛ブロック頭部を有する装置２０は、特別に大量の石鹸を配量する必要があることがある。このような用途では、流体配量構成要素の大量方向を設けることができる。このような例では、大きい表面積を有するボタン９０を形成し、流体貯溜部１０は大きい容積を有し、弁組立体７０は大きい直径のボアを有し、容易に偏向するように構築することができる。このような構成要素の１つまたは全部の方向およびサイズを調節して、大量配量機能を微調整することができる。さらなる代替例では、ブロック６０に取り付けるスポンジ媒体を有し、軽い洗浄作業に使用される装置２０に、少量流体配量方向を設けることができる。このような例では、小さい表面積を有するボタン、容積が小さい貯溜部、およびボアが小さく、偏向が抑制された弁７０を、装置２０の構造に設けることができる。
【００３０】
組み立てる際に、ボタン蝶番９５は、その脚部９６が取っ手の凹所３２に入る状態で所定の位置に配置され、次に把持スリーブ３５を取っ手３０上に設置して、蝶番９５を所定の位置にロックする。次に、ボア７３内の弁７５を保持リング７１に装着することによって、弁組立体７０を端板４０に組み付ける。次に保持リング７１を板４０の開口４８内に装着する。次に、端板４０を本体２２に取り付け、或る例ではそれに超音波溶接する。次に、第１結合構造４３〜４７が第２結合構造５１〜５４と対合するように、ブロック６０を板４０上に滑動させる。この点で、装置２０の部品は全て、液体石鹸と適合性の適切な成形可能ポリマ材料で形成することが好ましい。把持スリーブ３５は、適切なエラストマ材料で形成してよいが、弁７５はゴム様材料で形成することができ、ボタン９０はゴム材料またはＴｒｅｓｆｉｎのようなポリマ材料で形成することができる。しかし、代替例では、上述した構成要素に金属またはセラミックのような他の材料を使用することができる。
【００３１】
好ましい例では、装置２０は、ホルダとして働くブラシ毛ブロック６０に固定したブラシ毛５９の形態の作業実行媒体を有する。しかし、本発明の原理は、作業実行媒体がスポンジ、パッド等のその他の形態をとる別の種類の家庭用品にも適用可能であり、この場合、ブラシ毛ブロック６０はその媒体にとって適切なタイプのホルダに改造されることが理解される。さらに、本発明の原理は家庭用品に制限されず、本発明の流体投与の態様は、その他の種類の用具、装置および家庭用品にも適用可能である。
【００３２】
例えば、図４、図５を見ると、ブロック６０ａの代替例構成が示されている。特に、上述したブラシ毛ブロック６０とほぼ同じであるブロック６０ａが示され、ここでは、類似部品は前記装置２０と同じ参照符号が付されている。ブロック６０ａは、スポンジ媒体５９ａを含む点でブラシ毛ブロック６０とは異なる。スポンジ５９ａは、板４０の開口４８と整列した開口６３ａを含み、従って液体石鹸のような流体を自身内に配量し、スポンジ５９ａで吸収することができる。代替例では、スポンジ５９ａまたはブロック６０に設けた他の洗浄媒体の区域全体にわたる流体の分散を補助するために、複数の開口を設けるか、管のような他の手段を設けることができる。
【００３３】
以上から、単純で経済的な構造であり、組立および操作が簡単であることを特徴とする改良型の流体投与器具が提供されたことが分かる。
【００３４】
本発明の特別な例について図示し、説明したが、広い観点での本発明から逸脱することなく、変形および修正をできることが当業者にとって自明である。したがって、特許請求の範囲の目的は、このような変形および修正の全てを本発明の精神および範囲に入るものとして含めることである。以上の説明および添付図面で示した事項は、単なる例示であり、限定的なものではない。本発明の実際の範囲は、先行技術に基づく適切な見方で見た特許請求の範囲によって定義されるべきである。
【図面の簡単な説明】
【００３５】
【図１】本発明による台所用装置の側面図である。
【図２】図１の装置の組立分解斜視図である。
【図２Ａ】図２のボタンの拡大部分斜視図である。
【図３】ボタンの代替例の拡大斜視図である。
【図４】本発明による台所用装置の代替例の側面部分断面図である。
【図５】図３の装置のスポンジ・ブロックの斜視図である。
【図１】
2007506502.tif 000003
【図２】
2007506502.tif 000004
【図２Ａ】
2007506502.tif 000005
【図３】
2007506502.tif 000006
【図４】
2007506502.tif 000007
【図５】
2007506502.tif 000008
【国際調査報告】
2007506502.tif 000009